(57)【要約】      （修正有）【課題】個々の身長に適したパジャマを容易に選択して購入することのできるパジャマ製品を提供する。【解決手段】パジャマ本体２と、少なくともパジャマ本体２に取付けられる表示物３とを備える。また、表示物３には、身長で選べる旨を記載した文言表示部と、パジャマ本体２を着用するに適する者の身長を記載した数値表示部と、体型に応じたサイズを記載したサイズ表示部を表示する。【選択図】図１
0003182251.tif 000002
【実用新案登録請求の範囲】
【請求項１】
パジャマ本体（２）と、少なくとも前記パジャマ本体に取付けられる表示物（３）と、を備え、前記表示物には，身長で選べる旨を記載した文言表示部（Ｗ）と，前記パジャマ本体を着用するに適する者の身長を記載した数値表示部（Ｎ）と，体型に応じたサイズを記載したサイズ表示部（Ｓ）が表示されていることを特徴とするパジャマ製品。
【請求項２】
パジャマ本体（２）と、少なくとも前記パジャマ本体に取付けられる表示物（３）と、を備え、前記表示物には，身長で選べる旨を記載した文言表示部（Ｗ）と，前記パジャマ本体を着用するに適する者の身長を記載した数値表示部（Ｎ）と，体型に応じたサイズを記載したサイズ表示部（Ｓ）が表示されており、前記数値表示部の記載が女性用１４０ｃｍ、１４５ｃｍ又は１５０ｃｍ、男性用１５５ｃｍ又は１６０ｃｍであることを特徴とするパジャマ製品。
【請求項３】
パジャマ本体（２）と、少なくとも前記パジャマ本体に取付けられる表示物（３）と、を備え、前記表示物には，身長で選べる旨を記載した文言表示部（Ｗ）と，前記パジャマ本体を着用するに適する者の身長を記載した数値表示部（Ｎ）と，体型に応じたサイズを記載したサイズ表示部（Ｓ）が表示されており、前記数値表示部の記載が女性用１４０ｃｍ、１４５ｃｍ又は１５０ｃｍ、男性用１５５ｃｍ又は１６０ｃｍであり、前記サイズ表示部の記載が，細身，普通、ゆったり又はたっぷりを表現するものであることを特徴とするパジャマ製品。
【請求項４】
パジャマ本体（２）と、少なくとも前記パジャマ本体に取付けられる表示物（３）と、を備え、前記表示物には，身長で選べる旨を記載した文言表示部（Ｗ）と，前記パジャマ本体を着用するに適する者の身長を記載した数値表示部（Ｎ）と，体型に応じたサイズを記載したサイズ表示部（Ｓ）が記載されており、前記数値表示部の記載が女性用１４０ｃｍ、１４５ｃｍ又は１５０ｃｍ、男性用１５５ｃｍ又は１６０ｃｍであり、前記サイズ表示部の記載が，細身，普通、ゆったり又はたっぷりを表現すると共に，ウエスト又はバストあるいはその両方のサイズを示すものであることを特徴とするパジャマ製品。
【考案の詳細な説明】
【技術分野】
【０００１】
本考案は、主として、身長が標準よりやや低い女性および男性向けのパジャマ製品に関するものである。
【背景技術】
【０００２】
ＪＩＳ（日本工業規格）は、他の各種の製品と同様にパジャマについても規定しているが、女性用ついての規格品の対象は身長が１５５ｃｍ以上であり、また、男性用についての規格品の対象は身長が１６５ｃｍ以上であるのが実情である。従って、例えば、身長が１４５ｃｍの女性や、身長が１５５ｃｍの男性は、それぞれ個々に最も適した規格品を選択することができない。
【０００３】
また、例えば、身長が１４５ｃｍの女性や身長が１５５ｃｍの男性でも、その体型は様々であるが、そのあたりの規格も明確でない。
【０００４】
なお、幼児用のパジャマはこれまでに創案されているが（例えば、特許文献１参照）、上記した身長の成人の女性や男性を対象とした製品は創案されていない。
【先行技術文献】
【特許文献】
【０００５】
【特許文献１】特開平１０−０７２７０６号公報
【考案の概要】
【考案が解決しようとする課題】
【０００６】
従って、例えば、身長が１４５ｃｍの女性や、身長が１５５ｃｍの男性は、規格品を購入した後、それに手直しを加える必要がある。また、個々の体型に応じた手直しも必要となる。こうした手直しは面倒であり、特に高齢者にとってはなおさらである。
【０００７】
本考案はこうした問題に鑑み創案されたもので、例えば、身長が１５５ｃｍ未満の女性および身長が１６５ｃｍ未満の男性が、個々に適したパジャマを容易に選択して購入することのできるパジャマ製品を提供することを課題とする。
【課題を解決するための手段】
【０００８】
図１乃至図４を参照して説明する。請求項１に記載のパジャマ製品１は、パジャマ本体２と、少なくとも前記パジャマ本体２に取付けられる表示物３とを備える。また、前記表示物３には、身長で選べる旨を記載した文言表示部Ｗと、前記パジャマ本体２を着用するに適する者の身長を記載した数値表示部Ｎと、体型に応じたサイズを記載したサイズ表示部Ｓを表示する。
【０００９】
請求項２に記載のパジャマ製品１は、パジャマ本体２と、少なくとも前記パジャマ本体２に取付けられる表示物３とを備える。また、前記表示物３には、身長で選べる旨を記載した文言表示部Ｗと、前記パジャマ本体２を着用するに適する者の身長を記載した数値表示部Ｎと、体型に応じたサイズを記載したサイズ表示部Ｓを表示する。
【００１０】
また、前記数値表示部Ｎの記載を、女性用１４０ｃｍ、１４５ｃｍ又は１５０ｃｍ、男性用１５５ｃｍ又は１６０ｃｍとした。
【００１１】
請求項３に記載のパジャマ製品１は、パジャマ本体２と、少なくとも前記パジャマ本体２に取付けられる表示物３とを備える。また、前記表示物３には、身長で選べる旨を記載した文言表示部Ｗと、前記パジャマ本体２を着用するに適する者の身長を記載した数値表示部Ｎと、体型に応じたサイズを記載したサイズ表示部Ｓを表示する。
【００１２】
また、前記数値表示部Ｎの記載を女性用１４０ｃｍ、１４５ｃｍ又は１５０ｃｍ、男性用１５５ｃｍ又は１６０ｃｍとした。さらに、前記サイズ表示部Ｓの記載を、細身、普通、ゆったり又はたっぷりを表現するものとした。
【００１３】
請求項４に記載のパジャマ製品１は、パジャマ本体２と、少なくとも前記パジャマ本体２に取付けられる表示物３とを備える。また、前記表示物３には、身長で選べる旨を記載した文言表示部Ｗと、前記パジャマ本体２を着用するに適する者の身長を記載した数値表示部Ｎと、体型に応じたサイズを記載したサイズ表示部Ｓを表示する。
【００１４】
また、前記数値表示部Ｎの記載を女性用１４０ｃｍ、１４５ｃｍ又は１５０ｃｍ、男性用１５５ｃｍ又は１６０ｃｍとした。さらに、前記サイズ表示部Ｓの記載を、細身、普通、ゆったり又はたっぷりを表現すると共に、ウエスト又はバストあるいはその両方のサイズを示すものとした。
【考案の効果】
【００１５】
請求項１に記載のパジャマ製品１は、パジャマ本体２と、少なくともパジャマ本体２に取付けられる表示物３とを備え、表示物３には、身長で選べる旨を記載した文言表示部Ｗと、パジャマ本体２を着用するに適する者の身長を記載した数値表示部Ｎと、体型に応じたサイズを記載したサイズ表示部Ｓが表示されているので、個々の体格に適したものを容易に選択して購入することができる。
【００１６】
請求項２に記載のパジャマ製品１は、パジャマ本体２と、少なくともパジャマ本体２に取付けられる表示物３とを備え、表示物３には、身長で選べる旨を記載した文言表示部Ｗと、パジャマ本体２を着用するに適する者の身長を記載した数値表示部Ｎと、体型に応じたサイズを記載したサイズ表示部Ｓが表示されているので、個々の体格に適したものを容易に選択して購入することができる。
【００１７】
また、このパジャマ製品１は、数値表示部Ｎの記載が女性用１４０ｃｍ、１４５ｃｍ又は１５０ｃｍ、男性用１５５ｃｍ又は１６０ｃｍであるので、個々の体格（身長）に適したものを容易かつ正確に選択して購入することができる。
【００１８】
特に、ＪＩＳで定める規格品に適合しない小柄な着用者（例えば、身長が１４５ｃｍの女性や、身長が１５５ｃｍの男性）にとっては、きわめて有用である。
【００１９】
請求項３に記載のパジャマ製品１は、パジャマ本体２と、少なくともパジャマ本体２に取付けられる表示物３とを備え、表示物３には、身長で選べる旨を記載した文言表示部Ｗと、パジャマを着用するに適する者の身長を記載した数値表示部Ｎと、体型に応じたサイズを記載したサイズ表示部Ｓが表示されているので、個々の体格に適したものを容易に選択して購入することができる。
【００２０】
また、このパジャマ製品１は、数値表示部Ｎの記載が女性用１４０ｃｍ、１４５ｃｍ又は１５０ｃｍ、男性用１５５ｃｍ又は１６０ｃｍであるので、個々の体格（身長）に適したものをより容易かつ正確に選択して購入することができる。
【００２１】
さらに、サイズ表示部Ｓの記載が、細身、普通、ゆったり又はたっぷりを表現しているので、個々の体格に適したものをより容易かつ正確に選択して購入することができる。
【００２２】
請求項４に記載のパジャマ製品１は、パジャマ本体２と、少なくともパジャマ本体２に取付けられる表示物３とを備え、表示物３には、身長で選べる旨を記載した文言表示部Ｗと、パジャマを着用するに適する者の身長を記載した数値表示部Ｎと、体型に応じたサイズを記載したサイズ表示部Ｓが表示されているので、個々の体格に適したものを容易に選択して購入することができる。
【００２３】
また、このパジャマ製品１は、数値表示部Ｎの記載が女性用１４０ｃｍ、１４５ｃｍ又は１５０ｃｍ、男性用１５５ｃｍ又は１６０ｃｍであるので、個々の体格（身長）に適したものをより容易かつ正確に選択して購入することができる。
【００２４】
さらに、サイズ表示部Ｓの記載が、細身、普通、ゆったり又はたっぷりを表現すると共に、ウエスト又はバストあるいはその両方のサイズを示しているので、個々の体格に適したものをより容易かつ正確に選択して購入することができる。
【図面の簡単な説明】
【００２５】
【図１】本発明の第一実施形態に係るパジャマ製品（男性用）を示す正面図である。
【図２】図１における表示物を示す正面図であり、（ａ）は第一表示、（ｂ）は第二表示、（ｃ）は第三表示である。
【図３】本発明の第二実施形態に係る女性用のパジャマ製品（女性用）を示す正面図である。
【図４】図２における表示物を示す正面図であり、（ａ）は第一表示、（ｂ）は第二表示、（ｃ）は第三表示である。
【考案を実施するための形態】
【００２６】
本考案に係るパジャマ製品１の実施形態を、図１および図２に示す。このパジャマ製品１は男性用であり、パジャマ本体２と、パジャマ本体２に取付けられる表示物３とを備える。パジャマ本体２は、上着２ａとズボン２ｂとで構成される。また、表示物３は、パジャマ本体２の上着２ａの襟部分に直接縫い付けられた布製の第一表示３ａと、この第一表示３ａに紐片Ｌを介して取り外し自在に取付けられた紙製の第二表示３ｂを備える。
【００２７】
なお、このパジャマ製品１はハンガー４に吊り下げられた状態で販売され、その際には当該ハンガー４に紙製で着脱自在の第三表示３ｃが設けられる。
【００２８】
そして、本実施形態における第一表示３ａには、パジャマ本体２を着用するに適する者の身長を記載した数値表示部Ｎ（「１５５ｃｍ」）と、体型に応じたサイズを記載したサイズ表示部Ｓ（「ゆったり」）と、それらに適合するという意味の「対応」が表示されている。
【００２９】
なお、数値表示部Ｎの記載は、男性用「１５５ｃｍ」の他に「１６０ｃｍ」なども可能であり、サイズ表示部Ｓの記載は、「ゆったり」の他に、「細身」、「普通」、「たっぷり」なども可能である。
【００３０】
また、第二表示３ｂには、身長で選べる旨を記載した文言表示部Ｗ（「身長で選べるパジャマ」）と、数値表示部Ｎ（「１５５ｃｍの方  対応」）と、サイズ表示部Ｓ（「ゆったりサイズの方  ウエスト８４〜９４ｃｍ」）が表示されている。
【００３１】
さらに、第三表示部３ｃには、文言表示部Ｗ（「身長で選べるパジャマ」）と、数値表示部Ｎ（「１５５ｃｍ」）と、サイズ表示部Ｓ（「ゆったりサイズの方  ウエスト８４〜９４ｃｍ」）が表示されている。
【００３２】
本実施形態に係る男性用のパジャマ製品１は、パジャマ本体２と、パジャマ本体２に取付けられる表示物３（第一表示３ａおよび第二表示３ｂ）とを備え、この表示物３には、文言表示部Ｗと数値表示部Ｎとサイズ表示部Ｓが表示されているので、個々の体格に適したものを容易に選択して購入することができる。
【００３３】
また、このパジャマ製品１は、数値表示部Ｎに身長が具体的（「１５５ｃｍ」）に記載されているので、個々の体格（身長）に適したものをより容易かつ正確に選択して購入することができる。
【００３４】
さらに、サイズ表示部Ｓに、体型に応じたサイズが具体的に記載されているので（「ゆったりサイズの方  ウエスト８４〜９４ｃｍ」）、さらに個々の体格に適したものを容易かつ正確に選択して購入することができる。
【００３５】
特に、ＪＩＳで定める規格品に適合しない小柄な着用者（例えば、身長が１５５ｃｍの男性）にとっては、きわめて有用である。
【００３６】
本考案に係るパジャマ製品１の第二実施形態を、図３および図４に示す。このパジャマ製品１は女性用であり、男性用と同様に、パジャマ本体２と、パジャマ本体２に取付けられる表示物３とを備える。パジャマ本体２は、上着２ａとズボン２ｂとで構成される。また、表示物３は、パジャマ本体２の上着２ａの襟部分に直接縫い付けられた布製の第一表示３ａと、この第一表示３ａに紐片Ｌを介して取り外し自在に取付けられた紙製の第二表示３ｂを備える。
【００３７】
このパジャマ製品１もハンガー４に吊り下げられた状態で販売され、その際には当該ハンガー４に紙製で着脱自在の第三表示３ｃが設けられる。
【００３８】
そして、第一表示３ａには、数値表示部Ｎ（「１４５ｃｍ」）と、サイズ表示部Ｓ（「細身」）と、それらに適合するという意味の「対応」が表示されている。
【００３９】
なお、数値表示部Ｎには、「１４５ｃｍ」の他に「１４０ｃｍ」、「１５０ｃｍ」などの記載も可能であり、サイズ表示部Ｓには、「細身」の他に、「普通」、「ゆったり」、「たっぷり」などの記載もできる。
【００４０】
また、第二表示３ｂおよび第三表示３ｃには、文言表示部Ｗ（「身長で選べるパジャマ」）と、数値表示部Ｎ（「１４５ｃｍの方  対応」など）と、サイズ表示部Ｓ（「細身サイズの方  ウエスト５８〜６４ｃｍ」）が表示されている。
【００４１】
本実施形態に係る女性用のパジャマ製品１は、パジャマ本体２と、パジャマ本体２に取付けられる表示物３（第一表示３ａおよび第二表示３ｂ）とを備え、この表示物３には、文言表示部Ｗと身長表示部とサイズ表示部Ｓが表示されているので、個々の体格に適したものを容易に選択して購入することができる。
【００４２】
また、このパジャマ製品１は、数値表示部Ｎに身長が具体的（「１４５ｃｍ」）に記載されているので、個々の体格（身長）に適したものをより容易かつ正確に選択して購入することができる。
【００４３】
さらに、サイズ表示部Ｓにも具体的なサイズが表示されているので（「細身サイズの方  ウエスト５８〜６４ｃｍ」）、さらに個々の体格に適したものを容易かつ正確に選択して購入することができる。
【００４４】
特に、ＪＩＳで定める規格品に適合しない小柄な着用者（例えば、身長が１４５ｃｍの女性）にとっては、きわめて有用である。
【００４５】
なお、本考案において、文言表示部の記載は、「身長で選べるパジャマ」に限定されるものではなく、身長によって選べることができる旨を記載した表現であれば良い。また、数値表示部Ｎに記載される具体的数値も限定されない。さらに、サイズ表示部Ｓの記載も限定されるものではなく、例えば、「ゆったり」に代えて「大きめ」などと記載することができる。
【符号の説明】
【００４６】
１      パジャマ製品
２      パジャマ本体
２ａ    上着
２ｂ    ズボン
３      表示物
３ａ    第一表示
３ｂ    第二表示
３ｃ    第三表示
４      ハンガー
Ｌ      紐片
Ｎ      数値表示部
Ｓ      サイズ表示部
Ｗ      文言表示部
【図１】
0003182251.tif 000003
【図２】
0003182251.tif 000004
【図３】
0003182251.tif 000005
【図４】
0003182251.tif 000006